(57)【要約】  【課題】低湿度を実現可能な保管庫を提供する。  【解決手段】保管庫１は、庫内シャッタ２３ａ、２３ｂを閉じ、庫外シャッタ２３ｃ、２３ｄを開いて、庫外と除湿ユニット２内との間を空気循環させ、かつ、ヒータ２０２をオンにして乾燥装置２０内の乾燥剤２０１を加熱再生する加熱再生処理Ｓ１、および、庫内シャッタ２３ａ、２３ｂを開き、庫外シャッタ２３ｃ、２３ｄを閉じて、庫内１０と除湿ユニット２内との間を空気循環させ、乾燥装置２０内の乾燥剤２０１により庫内１０を除湿する除湿処理Ｓ３を択一的に実施するとともに、除湿処理Ｓ３から加熱再生処理Ｓ１に移行する際に、庫内シャッタ２３ａ、２３ｂおよび庫外シャッタ２３ｃ、２３ｄの両方を閉じてヒータ２０２をオンにして所定の加熱加速時間が経過するのを待つ加熱加速処理Ｓ４を実施する。【選択図】図３
2019184103.tif 000002
【特許請求の範囲】
【請求項１】
庫内を除湿する保管庫であって、
前記庫内の空気を取り込んで除湿し前記庫内へ給気するとともに、当該除湿した前記庫内の空気中の水分を気化して庫外に排気する除湿ユニットと、
前記除湿ユニットを制御する制御手段と、を備え、
前記除湿ユニットは、
前記除湿ユニット内に配置され、加熱再生可能な乾燥剤が充填された乾燥装置と、
前記庫内と前記除湿ユニット内との空気循環路を開閉する庫内シャッタと、
前記庫外と前記除湿ユニット内との空気循環路を開閉する庫外シャッタと、
前記乾燥装置に充填された乾燥剤を加熱するヒータと、を有し、
前記制御手段は、
前記庫内シャッタを開き、前記庫外シャッタを閉じて、前記庫内と前記除湿ユニット内との間を空気循環させて、前記乾燥装置内に充填された乾燥剤により前記庫内を除湿する除湿処理、および、前記庫内シャッタを閉じ、前記庫外シャッタを開いて、前記庫外と前記除湿ユニット内との間を空気循環させ、かつ、前記ヒータをオンにして前記乾燥装置内に充填された乾燥剤を加熱することにより、当該乾燥剤を脱湿する加熱再生処理を、択一的に実施するとともに、
前記除湿処理から前記加熱再生処理に移行する際に、前記庫内シャッタおよび前記庫外シャッタの両方を閉じて前記ヒータをオンにし、所定の加熱加速時間が経過するのを待つ加熱加速処理を実施する
ことを特徴とする保管庫。
【請求項２】
請求項１に記載の保管庫であって、
前記制御手段は、
前記加熱再生処理から前記除湿処理に移行する際に、前記庫内シャッタを閉じ、前記庫外シャッタを開いて所定の冷却時間が経過するのを待ち、それから、前記庫内シャッタおよび前記庫外シャッタの両方を閉じて所定の待機時間が経過するのを待つ冷却処理を実施する
ことを特徴とする保管庫。
【請求項３】
請求項２に記載の保管庫であって、
前記除湿ユニット内に配置されたファンをさらに備え、
前記制御手段は、
前記冷却処理のときに前記ファンを動作させ、
前記加熱加速処理のときに前記ファンを停止させる
ことを特徴とする保管庫。
【請求項４】
請求項１ないし３のいずれか一項に記載の保管庫であって、
前記除湿ユニットは、
前記除湿ユニットの一方の端部に配置され、前記庫内から前記除湿ユニット内に空気を取り込む庫内取込口および前記庫外から前記除湿ユニット内に空気を取り込む庫外取込口と、
前記除湿ユニットの他方の端部に配置され、前記除湿ユニット内から前記庫内に給気する給気口および前記除湿ユニット内から前記庫外に排気する排気口と、をさらに有し、
前記庫内シャッタは、
前記庫内取込口を開閉する庫内取込口シャッタと、
前記庫内取込口シャッタに連動して前記給気口を開閉する給気口シャッタと、を有し、
前記庫外シャッタは、
前記庫外取込口を開閉する庫外取込口シャッタと、
前記庫外取込口シャッタに連動して前記排気口を開閉する排気口シャッタと、を有し、
前記庫内取込口および前記庫外取込口は、
両者間のなす角が前記除湿ユニットの内側に形成されるように配置されており、
前記給気口および前記排気口は、
両者間のなす角が前記除湿ユニットの内側に形成されるように配置されている
ことを特徴とする保管庫。
【請求項５】
請求項４に記載の保管庫であって、
前記庫内取込口シャッタ、前記庫外取込口シャッタ、前記給気口シャッタ、および前記排気口シャッタは、それぞれ、
シャフトと、
前記シャフトに取り付けられた開閉板と、
前記除湿ユニット内に配置され、前記シャフトの両端部を回転可能に支持する一対の軸受と、を有する
ことを特徴とする保管庫。
【請求項６】
請求項５に記載の保管庫であって、
前記除湿ユニットは、
前記除湿ユニット内に配置され、前記制御手段の制御により、前記庫内取込口シャッタおよび前記給気口シャッタを開閉させる庫内シャッタアクチュエータと、
前記除湿ユニット内に配置され、前記制御手段の制御により、前記庫外取込口シャッタおよび前記排気口シャッタを開閉させる庫外シャッタアクチュエータと、をさらに有する
ことを特徴とする保管庫。
【請求項７】
請求項６に記載の保管庫であって、
前記庫内シャッタアクチュエータおよび前記庫外シャッタアクチュエータの一方は、電磁アクチュエータであり、他方は、形状記憶合金アクチュエータである
ことを特徴とする保管庫。
【発明の詳細な説明】
【技術分野】
【０００１】
本発明は、庫内を除湿する保管庫に関する。
【背景技術】
【０００２】
従来、精密機器、食品、化学薬品等の保管品を保管する庫内を除湿する除湿ユニットを備えた保管庫が知られている（例えば特許文献１）。この種の保管庫に用いられる除湿ユニットは、除湿ユニット内に配置された乾燥装置と、除湿ユニット内と庫内との空気循環および除湿ユニット内と庫外との空気循環を行わせるための庫内シャッタおよび庫外シャッタと、を有する。乾燥装置は、乾燥装置内に充填された球状、ペレット状等の加熱再生可能な乾燥剤と、乾燥剤を加熱再生するためのヒータと、を有する。そして、除湿ユニットは、庫内シャッタを開いて庫外シャッタを閉じることにより、除湿ユニット内と庫内との間を空気循環させて、乾燥装置内に充填された乾燥剤が空気中の水分を吸着することにより庫内の空気を除湿する（除湿処理）。また、庫内シャッタを閉じて庫外シャッタを開くことにより、除湿ユニット内と庫外との間を空気循環させるとともに、定期的にヒータを動作させて吸湿した乾燥剤を加熱することにより、乾燥剤に溜まった水分を気化して庫外に排気し乾燥剤の乾燥能力を再生させる（加熱再生処理）。これらの処理を繰り返し行うことにより庫内を低湿度化する。
【先行技術文献】
【特許文献】
【０００３】
【特許文献１】特開２０１３−１３４０３４号公報
【発明の概要】
【発明が解決しようとする課題】
【０００４】
ところで、特許文献１に記載の保管庫では、除湿処理から加熱再生処理に移行する際に、庫内シャッタを開き、庫外シャッタを閉じた状態から、庫内シャッタを閉じ、庫外シャッタを開いて、ヒータをオンにして加熱再生処理に移行している。このため、庫外から除湿ユニット内に冷たい外気が侵入し、乾燥装置内に充填された乾燥剤の加熱再生に時間がかかるという問題がある。
【０００５】
本発明は、上記事情に鑑みてなされたものであり、その目的は、低湿度を実現可能な保管庫を提供することにある。
【課題を解決するための手段】
【０００６】
上記課題を解決するために、本発明では、除湿処理から加熱再生処理に移行する際に、庫内シャッタおよび庫外シャッタの両方を閉じてヒータをオンにして所定の加熱加速時間が経過するのを待ち、それから、庫内シャッタを閉じ、庫外シャッタを開いて加熱再生処理に移行している。
【０００７】
例えば、本発明は、
庫内を除湿する保管庫であって、
前記庫内の空気を取り込んで除湿し前記庫内へ給気するとともに、当該除湿した前記庫内の空気中の水分を気化して庫外に排気する除湿ユニットと、
前記除湿ユニットを制御する制御手段と、を備え、
前記除湿ユニットは、
前記除湿ユニット内に配置され、加熱再生可能な乾燥剤が充填された乾燥装置と、
前記庫内と前記除湿ユニット内との空気循環路を開閉する庫内シャッタと、
前記庫外と前記除湿ユニット内との空気循環路を開閉する庫外シャッタと、
前記乾燥装置に充填された乾燥剤を加熱するヒータと、を有し、
前記制御手段は、
前記庫内シャッタを開き、前記庫外シャッタを閉じて、前記庫内と前記除湿ユニット内との間を空気循環させて、前記乾燥装置内に充填された乾燥剤により前記庫内を除湿する除湿処理、および、前記庫内シャッタを閉じ、前記庫外シャッタを開いて、前記庫外と前記除湿ユニット内との間を空気循環させ、かつ、前記ヒータをオンにして前記乾燥装置内に充填された乾燥剤を加熱することにより、当該乾燥剤を脱湿する加熱再生処理を、択一的に実施するとともに、
前記除湿処理から前記加熱再生処理に移行する際に、前記庫内シャッタおよび前記庫外シャッタの両方を閉じて前記ヒータをオンにし、所定の加熱加速時間が経過するのを待つ加熱加速処理を実施する。
【発明の効果】
【０００８】
本発明によれば、除湿処理から加熱再生処理に移行する際に、庫内シャッタおよび庫外シャッタの両方を閉じてヒータをオンにし、所定の加熱加速時間が経過するのを待つ加熱加速処理を実施するので、所定の加熱加速時間が経過するまでの間、除湿ユニット内が密閉されて暖まりやすくなり、乾燥装置内に充填された乾燥剤の温度上昇が加速されるので、乾燥剤の加熱再生を加速することができる。したがって、本発明によれば、乾燥剤の加熱再生効果を飛躍的に向上させて、低湿度を実現可能な保管庫を提供することができる。
【図面の簡単な説明】
【０００９】
【図１】図１は、本発明の一実施の形態に係る保管庫１の概略正面図である。
【図２】図２は、図１に示す保管庫１のＡ−Ａ概略断面図および制御盤３の機能構成図である。
【図３】図３は、除湿ユニット２の概略断面図である。
【図４】図４は、シャッタ２３の概略正面図である。
【図５】図５は、保管庫１の動作を説明するためのフロー図である。
【図６】図６は、図５に示す加熱再生処理Ｓ１を説明するためのフロー図である。
【図７】図７は、図５に示す冷却処理Ｓ２を説明するためのフロー図である。
【図８】図８は、図５に示す除湿処理Ｓ３を説明するためのフロー図である。
【図９】図９は、図５に示す加熱加速処理Ｓ４を説明するためのフロー図である。
【発明を実施するための形態】
【００１０】
以下に、本発明の一実施の形態について、図面を参照して説明する。
【００１１】
図１は、本実施の形態に係る保管庫１の概略正面図である。また、図２は、図１に示す保管庫１のＡ−Ａ概略断面図および制御盤３の機能構成図である。
【００１２】
本実施の形態に係る保管庫１は、例えば露点温度−５０℃以下の超低湿度環境が要求される二次電池材料、有機ＥＬ封止装置等の保管品を保管する。
【００１３】
図１および図２に示すように、保管庫１は、前面１１に設けられ、庫内１０にアクセスするための扉１２と、庫内１０を除湿するための除湿ユニット２と、除湿ユニット２を制御する制御盤３と、前面１１等に配置された操作パネル４と、庫内１０の温度、湿度等を測定するセンサ５と、を備えている。
【００１４】
操作パネル４は、各種指示、設定情報等をユーザから受け付けるためのボタン、キー等の入力装置と、各種設定情報、動作状態、環境情報等をユーザに知らせるための液晶パネル、ＬＥＤ等の表示装置と、を備えている。
【００１５】
除湿ユニット２は、ゼオライト、シリカゲル等の加熱再生可能な乾燥剤を用いて、庫内１０を除湿する。
【００１６】
図３は、除湿ユニット２の概略断面図である。
【００１７】
図示するように、除湿ユニット２は、背壁１３に形成された開口部１３０を庫内１０側から塞ぐように庫内１０に設置されている。なお、除湿ユニット２は、背壁１３に形成された開口部１３０を庫外側から塞ぐように庫外に設置してもよい。
【００１８】
この除湿ユニット２は、少なくとも１台の乾燥装置２０と、ファン２１と、乾燥装置２０およびファン２１を収容するハウジング２２と、庫内１０とハウジング２２内の空気循環路を開閉する庫内シャッタ２３ａ、２３ｂと、庫外とハウジング２２内の空気循環路を開閉する庫外シャッタ２３ｃ、２３ｄと、庫内シャッタ２３ａ、２３ｂを駆動するＳＭＡ（形状記憶合金）アクチュエータ２６ａと、庫外シャッタ２３ｃ、２３ｄを駆動する電磁アクチュエータ２６ｂと、を備えている。以下、庫外シャッタ２３ｃ、２３ｄおよび庫内シャッタ２３ａ、２３ｂは、単にシャッタ２３とも呼ぶこととする。また、ＳＭＡアクチュエータ２６ａおよび電磁アクチュエータ２６ｂは、単にアクチュエータ２６とも呼ぶこととする。
【００１９】
ハウジング２２は、乾燥装置２０が配置された乾燥室２２０と、庫内シャッタ２３ａが配置された流路室２２１ａと、庫内シャッタ２３ｂが配置された流路室２２１ｂと、庫外シャッタ２３ｃが配置された流路室２２１ｃと、庫外シャッタ２３ｄが配置された流路室２２１ｄと、を有する。以下、流路室２２１ａ〜２２１ｄは、単に流路室２２１とも呼ぶこととする。
【００２０】
流路室２２１ａは、乾燥室２２０の下方の庫内１０側に配置され、庫内１０から空気Ｂ１を流路室２２１ａ内に取り込むための通気口２５ａと、流路室２２１ａから空気Ｂ１を乾燥室２２０内に取り込むための庫内取込口２４ａと、を有している。
【００２１】
流路室２２１ｂは、乾燥室２２０の上方の庫内１０側に配置され、乾燥室２２０から空気Ｂ２を流路室２２１ｂ内に給気するための給気口２４ｂと、流路室２２１ｂから空気Ｂ２を庫内１０に給気するための通気口２５ｂと、を有している。
【００２２】
流路室２２１ｃは、乾燥室２２０の下方の庫外側に配置され、庫外から空気Ａ１を流路室２２１ｃ内に取り込むための通気口２５ｃと、流路室２２１ｃから空気Ａ１を乾燥室２２０内に取り込むための庫外取込口２４ｃと、を有している。
【００２３】
流路室２２１ｄは、乾燥室２２０の上方の庫外側に配置され、乾燥室２２０から空気Ａ２を流路室２２１ｄ内に排気するための排気口２４ｄと、流路室２２１ｄから空気Ａ２を庫外に排気するための通気口２５ｄと、を有している。
【００２４】
庫内取込口２４ａおよび庫外取込口２４ｃは、両者間のなす角（１８０度未満の角）α１が乾燥室２２０内に形成されるように、乾燥室２２０の長手方向（高さ方向）Ｈに対して斜めに配置されている。また、給気口２４ｂおよび排気口２４ｄは、両者間のなす角（１８０度未満の角）α２が乾燥室２２０内に形成されるように、乾燥室２２０の長手方向Ｈに対して斜めに配置されている。また、通気口２５ａ〜２５ｄは、乾燥室２２０の長手方向Ｈに対して平行に配置されている。
【００２５】
ファン２１は、乾燥室２２０内に配置され、流路室２２１ａ、２２１ｂを介して乾燥室２２０内と庫内１０との間、あるいは、流路室２２１ｃ、２２１ｄを介して乾燥室２２０内と庫外との間で強制的に空気循環させるために駆動される。
【００２６】
乾燥装置２０は、乾燥装置２０内に充填された球状、ペレット状等の乾燥剤２０１と、乾燥装置２０内に乾燥剤２０１とともに収容されたヒータ２０２と、を有している。乾燥装置２０は、乾燥剤２０１で吸湿することにより、流路室２２１ａを介して庫内１０から乾燥室２２０内に取り込まれた空気Ｂ１を除湿する。また、ヒータ２０２により乾燥剤２０１を加熱することにより、乾燥剤２０１が吸湿した水分を気化し、気化した水分を含む空気Ａ２を、流路室２２１ｄを介して乾燥室２２０内から庫外へ排気する。
【００２７】
乾燥剤２０１は、ゼオライト、シリカゲル等の加熱再生可能な乾燥剤であり、庫内１０の空気を十分に除湿できるように庫内１０のスペースに応じて定められた量が乾燥装置２０に充填されている。図示していないが、乾燥装置２０には、乾燥剤２０１の粒径より狭い幅のスリットが複数形成されており、乾燥剤２０１は、このスリットを介して乾燥室２２０内を除湿する。
【００２８】
ヒータ２０２は、制御盤３の制御により、乾燥装置２０内に充填された乾燥剤２０１を加熱して、乾燥剤２０１に溜まった水分を気化し、乾燥剤２０１の乾燥能力を再生する。
【００２９】
庫内シャッタ２３ａは、ＳＭＡアクチュエータ２６ａにより、庫内取込口２４ａを開閉する。また、庫内シャッタ２３ｂは、ＳＭＡアクチュエータ２６ａにより、庫内シャッタ２３ａと連動して給気口２４ｂを開閉する。
【００３０】
庫外シャッタ２３ｃは、電磁アクチュエータ２６ｂにより、庫外取込口２４ｃを開閉する。また、庫外シャッタ２３ｄは、電磁アクチュエータ２６ｂにより、庫外シャッタ２３ｃと連動して排気口２４ｄを開閉する。
【００３１】
図４は、シャッタ２３の概略正面図である。
【００３２】
図示するように、シャッタ２３は、流路室２２１の幅Ｗ方向に配置されたシャフト２３０と、シャフト２３０に取り付けられ、少なくとも開閉対象の開口２４（庫内取込口２４ａ、給気口２４ｂ、庫外取込口２４ｃ、排気口２４ｄ）より大きな開閉板２３１と、流路室２２１の側壁（幅Ｗ方向と直交する内壁）２２３ａ、２２３ｂに設けられ、シャフト２３０の両端部を回転可能に支持する一対の軸受２３２ａ、２３２ｂと、を有している。
【００３３】
開閉板２３１は、幅Ｗ方向の中央付近において、アクチュエータ２６の駆動アーム２６０に連結されており、駆動アーム２６０が長手方向Ｈに往復移動することにより、シャフト２３０回りに回動して開閉対象の開口２４を開閉する。
【００３４】
図３に戻って説明を続ける。
【００３５】
アクチュエータ２６は、乾燥室２２０内に配置されており、シャッタ２３の開閉板２３１に連結された駆動アーム２６０を長手方向Ｈに往復移動させることにより、シャッタ２３を駆動する。
【００３６】
具体的には、ＳＭＡアクチュエータ２６ａは、形状記憶合金への通電を制御することにより、庫内シャッタ２３ａ、２３ｂに連結された駆動アーム２６０を長手方向Ｈにおいて互いに反対方向に移動させる。これにより、庫内シャッタ２３ａに庫内取込口２４ａを開閉させるとともに、これに連動して庫内シャッタ２３ｂに給気口２４ｂを開閉させて、庫内１０と乾燥室２２０内の空気循環路を開閉する。
【００３７】
また、電磁アクチュエータ２６ｂは、ソレノイドへの通電を制御することにより、庫外シャッタ２３ｃ、２３ｄに連結された駆動アーム２６０を長手方向Ｈにおいて互いに反対方向に移動させる。これにより、庫外シャッタ２３ｃに庫外取込口２４ｃを開閉させるとともに、これに連動して庫外シャッタ２３ｄに排気口２４ｄを開閉させて、庫外と乾燥室２２０内の空気循環路を開閉する。
【００３８】
図２に戻って説明を続ける。
【００３９】
制御盤３は、操作パネル４を介して操作者から受け付けた指示に従い除湿ユニット２を制御する。図示するように、制御盤３は、センサＩＦ部３０と、操作パネルＩＦ部３１と、シャッタ駆動部３２と、ファン駆動部３３と、ヒータ駆動部３４と、主制御部３５と、を備えている。
【００４０】
センサＩＦ部３０は、主制御部３５をセンサ５に接続するためのインターフェースである。操作パネルＩＦ部３１は、主制御部３５を操作パネル４に接続するためのインターフェースである。
【００４１】
シャッタ駆動部３２は、庫内シャッタ２３ａ、２３ｂおよび庫外シャッタ２３ｃ、２３ｄの開閉動作を制御する。ファン駆動部３３は、ファン２１の動作を制御する。ヒータ駆動部３４は、ヒータ２０２の動作を制御する。
【００４２】
主制御部３５は、制御盤３の各部３０〜３４を統括的に制御して庫内１０を除湿する。
【００４３】
図５は、保管庫１の動作を説明するためのフロー図である。
【００４４】
図示するように、保管庫１は、庫外と乾燥室２２０内との間を空気循環させ、かつ、ヒータ２０２をオンにして乾燥装置２０内の乾燥剤２０１を加熱することにより脱湿する加熱再生処理Ｓ１、庫外と乾燥室２２０内との間を空気循環させ、かつファン２１をオンし、強制的に空気の流れを起こすことで乾燥装置２０内の乾燥剤２０１を冷却する冷却処理Ｓ２、庫内と乾燥室２２０内との間を空気循環させることにより、乾燥装置２０内の乾燥剤２０１で庫内１０を除湿する除湿処理Ｓ３、および乾燥室２２０内を密閉状態にしてヒータ２０２をオンにすることにより、乾燥装置２０内の乾燥剤２０１の温度上昇を加速する加熱加速処理Ｓ４を、この順番でサイクリックに実施する。
【００４５】
図６は、図５に示す加熱再生処理Ｓ１を説明するためのフロー図である。
【００４６】
制御盤３において、主制御部３５は、シャッタ駆動部３２、ファン駆動部３３、およびヒータ駆動部３４に加熱再生処理の開始を指示する。これを受けて、シャッタ駆動部３２は、庫内シャッタ２３ａ、２３ｂを閉じて庫外シャッタ２３ｃ、２３ｄを開く。また、ファン駆動部３３はファン２１をオフにし、ヒータ駆動部３４はヒータ２０２をオンにする（Ｓ１０）。これにより、図３に示すように、庫外の空気Ａ１が、流路室２２１ｃを介して乾燥室２２０内に取り込まれるとともに、ヒータ２０２の加熱により、乾燥剤２０１に吸湿された水分が気化する。そして、乾燥室２２０内の湿った空気Ａ２が、流路室２２１ｄを介して庫外に排気されて、乾燥剤２０１が乾燥する。
【００４７】
つぎに、主制御部３５は、所定の加熱再生時間（例えば３０分）が経過するのを待ち（Ｓ１１）、それから、このフローを終了して、冷却処理Ｓ２に進む。
【００４８】
図７は、図５に示す冷却処理Ｓ２を説明するためのフロー図である。
【００４９】
制御盤３において、主制御部３５は、シャッタ駆動部３２、ファン駆動部３３、およびヒータ駆動部３４に冷却処理の開始を指示する。これを受けて、シャッタ駆動部３２は、庫内シャッタ２３ａ、２３ｂを閉じ、庫外シャッタ２３ｃ、２３ｄを開く。また、ファン駆動部３３はファン２１をオンにし、ヒータ駆動部３４はヒータ２０２をオフにする（Ｓ２０）。ファン２１をオンすることによって乾燥室２２内に強制的な空気の流れが起き、乾燥剤２０１の冷却が促進され、自然対流による冷却よりも素早い冷却となり、乾燥剤２０１の吸着能力が復帰するまでの時間を短縮できる。
【００５０】
つぎに、主制御部３５は、所定の冷却時間（例えば１０分）が経過するのを待ち（Ｓ２１）、それから、このフローを終了して除湿処理Ｓ３に進む。
【００５１】
図８は、図５に示す除湿処理Ｓ３を説明するためのフロー図である。
【００５２】
制御盤３において、主制御部３５は、シャッタ駆動部３２、ファン駆動部３３、およびヒータ駆動部３４に除湿処理の開始を指示する。これを受けて、シャッタ駆動部３２は、庫内シャッタ２３ａ、２３ｂを開き、庫外シャッタ２３ｃ、２３ｄを閉じる。また、ファン駆動部３３はファン２１をオンにし、ヒータ駆動部３４はヒータ２０２をオフにする（Ｓ３０）。これにより、図３に示すように、庫内１０の湿った空気Ｂ１が、流路室２２１ａを介して乾燥室２２０内に取り込まれ、乾燥剤２０１により吸湿される。そして、乾燥室２２０内の乾いた空気Ｂ２が、流路室２２１ｂを介して庫内１０に給気されて、庫内１０が除湿される。また、冷却処理Ｓ２から除湿処理Ｓ３に移行する際に、庫内シャッタ２３ａ、２３ｂ：開→閉、庫外シャッタ２３ｃ、２３ｄ：閉→開となるが、この動作にタイムラグを設け、一瞬全てのシャッタ２３ａ〜２３ｄが閉じた状態を設けることで、庫外側から庫内１０側へのリークの影響を最小限に抑えることができる。
【００５３】
つぎに、主制御部３５は、所定の除湿時間（例えば７時間）が経過するのを待ち（Ｓ３１）、それから、このフローを終了して加熱加速処理Ｓ４に進む。
【００５４】
図９は、図５に示す加熱加速処理Ｓ４を説明するためのフロー図である。
【００５５】
制御盤３において、主制御部３５は、シャッタ駆動部３２、ファン駆動部３３、およびヒータ駆動部３４に加熱加速処理の開始を指示する。これを受けて、シャッタ駆動部３２は、庫内シャッタ２３ａ、２３ｂおよび庫外シャッタ２３ｃ、２３ｄの両方を閉じる。また、ファン駆動部３３はファン２１をオフにし、ヒータ駆動部３４はヒータ２０２をオンにする（Ｓ４０）。これにより、乾燥室２２０が密閉されて、乾燥室２２０内の空気が暖まりやすくなるため、ヒータ２０２の加熱による乾燥剤２０１の温度上昇が加速される。
【００５６】
つぎに、主制御部３５は、所定の加熱加速時間（例えば１０分）が経過するのを待ち（Ｓ４１）、それから、このフローを終了して、加熱処理Ｓ１に戻る。
【００５７】
以上、本発明の一実施の形態について説明した。
【００５８】
本実施の形態によれば、除湿処理Ｓ３から加熱再生処理Ｓ１に移行する際に、庫内シャッタ２３ａ、２３ｂおよび庫外シャッタ２３ｃ、２３ｄの両方を閉じ、ヒータ２０２をオンにして所定の加熱加速時間が経過するのを待つ加熱加速処理Ｓ４を実施するので、所定の加熱加速時間が経過するまでの間、乾燥室２２０内が密閉されて暖まりやすくなり、ヒータ２０２の加熱による乾燥剤２０１の温度上昇が加速されるので、加熱再生処理Ｓ１における乾燥剤２０１の加熱再生を加速することができる。したがって、本実施の形態によれば、乾燥剤２０１の加熱再生効果を飛躍的に向上させて、低湿度を実現可能な保管庫１を提供することができる。
【００５９】
また、本実施の形態において、除湿ユニット２は、長手方向Ｈの一方の端部に配置され、流路室２２１ａを介して庫内１０から乾燥室２２０内に空気を取り込む庫内取込口２４ａおよび流路室２２１ｃを介して庫外から乾燥室２２０内に空気を取り込む庫外取込口２４ｃと、長手方向Ｈの他方の端部に配置され、流路室２２１ｂを介して乾燥室２２０内から庫内１０に給気する給気口２４ｂおよび流路室２２１ｄを介して乾燥室２２０内から庫外に排気する排気口２４ｄと、庫内取込口２４ａを開閉する庫内シャッタ２３ａと、庫内シャッタ２３ａに連動して給気口２４ｂを開閉する庫内シャッタ２３ｂと、庫外取込口２４ｃを開閉する庫外シャッタ２３ｃと、庫外シャッタ２３ｃに連動して排気口２４ｄを開閉する庫外シャッタ２３ｄと、を有している。そして、庫内取込口２４ａおよび庫外取込口２４ｃは、両者間のなす角α１が乾燥室２２０内に形成されるように配置され、かつ給気口２４ｂおよび排気口２４ｄは、両者間のなす角α２が乾燥室２２０内に形成されるように配置されている。このため、庫内取込口２４ａ、給気口２４ｂ、庫外取込口２４ｃ、および排気口２４ｄの開口面積をより大きくしつつ、乾燥室２２０と庫内１０との間の空気循環路および乾燥室２２０と庫外との間の空気循環路から急激な屈折箇所をなくすことができるので、乾燥室２２０と庫内１０との間の空気循環および乾燥室２２０と庫外との間の空気循環をスムーズにすることができる。したがって、本実施の形態によれば、庫内１０の除湿効果および乾燥剤２０１の加熱再生効果をさらに向上させて、より低湿度を実現可能な保管庫１を提供することができる。
【００６０】
また、本実施の形態において、除湿ユニット２は、シャッタ２３（庫内シャッタ２３ａ、２３ｂ、庫外シャッタ２３ｃ、２３ｄ）は、シャフト２３０と、シャフト２３０に取り付けられた開閉板２３１と、流路室２２１内に配置され、シャフト２３０の両端部を回転可能に支持する一対の軸受２３２ａ、２３２ｂと、を有している。軸受２３２ａ、２３２ｂを流路室２２１内に配置しているので、シャフト２３０を外部に突出させるための貫通孔を流路室２２１の側壁２２３ａ、２２３ｂに設ける必要がない。このため、例えば、庫外から流路室２２１ｃに流れ込んだ空気Ａ１の一部が庫内１０に漏れて庫内１０の湿度に影響したり、乾燥室２２０内から流路室２２１ｄに流れ込んだ空気Ａ２の一部が庫内１０に漏れて庫内１０の温度に影響したりするのを防止することができる。したがって、本実施の形態によれば、庫内１０の湿度および温度をより安定させることができる。
【００６１】
また、本実施の形態では、シャッタ２３を開閉するアクチュエータ２６を乾燥室２２０内に配置している。このため、シャッタ２３の開閉板２３１をシャフト２３０回りに回転させる力を付与するための駆動アーム２６０を、開閉板２３１の中央付近に当接させることができ、これにより、流路室２２１の側壁２２３ａ、２２３ｂの外部に突き出したシャフトの一方の端部にトルクを付与して開閉板２３１をシャフト回りに回転させる場合に比べて、開閉対象の開口２４の閉成時に、開閉対象の開口２４の縁部（受け面）全周により均一に開閉板２３１を押し当てることができるので、開閉対象の開口２４の縁部（受け面）と開閉板２３１との間に隙間ができるのを防止することができる。
【００６２】
なお、本発明は、上記の実施の形態に限定されるものではなく、その要旨の範囲内で数々の変形が可能である。
【００６３】
例えば、上記の実施の形態の冷却処理Ｓ２において、ファン２１をオンにし、ヒータ２０２をオフにした状態で、庫内シャッタ２３ａ、２３ｂを閉じ、庫外シャッタ２３ｃ、２３ｄを開いて（Ｓ２０）、所定の冷却時間の経過を待った後に（Ｓ２１）、さらに、庫内シャッタ２３ａ、２３ｂおよび庫外シャッタ２３ｃ、２３ｄの両方を閉じて、所定の待機時間（例えば１０分）の経過を待つようにしてもよい。このようにすることで、庫外から乾燥室２２０内に浸入した湿った空気を十分に乾燥させてから、除湿処理Ｓ３に移行することができるので、乾燥室２２０内の湿った空気の影響により庫内１０の湿度が上昇するのを防止することができる。また、冷却処理Ｓ２においてファン２１をオフにしてもよい。
【００６４】
また、上記の実施の形態において、除湿ユニット２のファン２１を省略してもよい。また、操作パネル４を省略してもよい。
【００６５】
また、上記の実施の形態では、庫内シャッタ２３ａ、２３ｂを開閉させるアクチュエータ２６にＳＭＡアクチュエータ２６ａを用いるとともに、庫外シャッタ２３ｃ、２３ｄを開閉させるアクチュエータ２６に電磁アクチュエータ２６ｂを用いているが、本発明はこれに限定されない。庫内シャッタ２３ａ、２３ｂを開閉させるアクチュエータ２６に電磁アクチュエータを用いるとともに、庫外シャッタ２３ｃ、２３ｄを開閉させるアクチュエータ２６にＳＭＡアクチュエータを用いてもよい。また、庫内シャッタ２３ａ、２３ｂを開閉させるアクチュエータおよび庫外シャッタ２３ｃ、２３ｄを開閉させるアクチュエータの両方に、電磁アクチュエータを用いてもよいし、あるいはＳＭＡアクチュエータを用いてもよい。
【００６６】
また、上記の実施の形態において、制御盤３の機能構成（図２参照）は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、およびＨＤＤ等の補助記憶装置を備えた汎用コンピュータにおいて、ＣＰＵが所定のプログラムを補助記憶装置からメモリ上にロードして実行することで実現されるものでもよい。
【符号の説明】
【００６７】
１：保管庫    ２：除湿ユニット    ３：制御盤    ４：操作パネル    ５：センサ    １０：庫内    １１：前面    １２：扉    １３：背壁    ２０：乾燥装置    ２１：ファン    ２２：ハウジング    ２３、２３ａ，２３ｂ，２３ｃ，２３ｄ：シャッタ    ２４：開口    ２４ａ：庫内取込口    ２４ｂ：給気口    ２４ｃ：庫外取込口    ２４ｄ：排気口    ２５ａ，２５ｂ，２５ｃ，２５ｄ：通気口    ２６ａ：ＳＭＡアクチュエータ    ２６ｂ：電磁アクチュエータ    ３０：センサＩＦ部    ３１：操作パネルＩＦ部    ３２：シャッタ駆動部    ３３：ファン駆動部    ３４：ヒータ駆動部    ３５：主制御部    １３０：背壁１３の開口部    ２０１：乾燥剤    ２０２：ヒータ    ２２０：乾燥室    ２２１，２２１ａ，２２１ｂ，２２１ｃ，２２１ｄ：流路室    ２２３ａ，２２３ｂ：乾燥室２２１の側壁    ２３０：シャフト    ２３１：開閉板    ２３２ａ，２３２ｂ：軸受    ２６０：駆動アーム
【図１】
2019184103.tif 000003
【図２】
2019184103.tif 000004
【図３】
2019184103.tif 000005
【図４】
2019184103.tif 000006
【図５】
2019184103.tif 000007
【図６】
2019184103.tif 000008
【図７】
2019184103.tif 000009
【図８】
2019184103.tif 000010
【図９】
2019184103.tif 000011